(57)【特許請求の範囲】
【請求項１】
開口部にフランジを設けた収納凹所を有する弾性体の中皿と、前記中皿に外嵌し枠体に網体が張設されてなるメッシュ体と、前記メッシュ体を覆い前記メッシュ体に剥離可能に設けられたシール用フィルムとを具備してなり、前記フランジには上下に貫通する貫通孔が穿孔されており、前記メッシュ体を前記中皿に打嵌する容器の組み立て作業時において、フィルムを装着した前記メッシュ体で加圧される器内の空気は前記貫通孔から器外に排出され、組み立て終了と同時に、前記フランジに前記メッシュ体が当接して前記貫通孔が封止されることを特徴とする粉体化粧料収納容器。
【請求項２】
開口部にフランジを設けた収納凹所を有する弾性体の中皿に枠体に網体が張設されてなるメッシュ体を外嵌して組み立てられた収納容器本体と、前記収納容器本体を収容する箱状のケース本体と、前記メッシュ体を覆うシール用フィルムを剥離可能に鍔部上面に設けて前記ケース本体に外嵌する栓体とを具備してなり、前記フィルムの前記鍔部の内縁に沿った前記枠体の上面に対応する箇所には上下に貫通する貫通孔が穿孔されており、前記栓体を前記ケース本体に打嵌する容器の組み立て作業時において、前記栓体で加圧される器内の空気は前記フィルムの貫通孔から器外に排出され、組み立て終了と同時に、前記フィルムと前記メッシュ体が当接して前記貫通孔が封止されることを特徴とする粉体化粧料収納容器。
【発明の詳細な説明】
【０００１】
【発明の属する技術分野】
本発明は、化粧用コンパクト容器に装着される中皿（粉体化粧料収納容器）に関し、詳しくは、例えばフェースパウダーなどの粉体化粧料が充填された中皿の上にメッシュ体を設けた粉体化粧料収納容器に関するものである。
【０００２】
【従来の技術】
一般に携帯用の化粧用コンパクト容器は、化粧料を充填した中皿やドラムと称される小型の収納容器が交換可能に装填されて構成されている。この小型の収納容器のなかには、充填された粉体化粧料の上にメッシュ体が配設されており、メッシュ体に浮き上がる適当量の粉体化粧料をパフで拭い取って使用するタイプの粉体化粧料収納容器がある。そして、この粉体化粧料収納容器には化粧料の飛散の防止や商品のバージン性を証明するために、メッシュ体を覆って収納容器上面に薄肉透明の合成樹脂製フィルムやアルミニゥム製のフィルムが剥離可能に取り付けられている。
【０００３】
従来このフィルムは、化粧料が充填され収納容器の組立終了後に取り付けられていたが、最終工程の取り付け作業となるので、取り付け不良を出した場合その損害が大きく、フィルムの取り付けを最終組立作業の前工程で済ませておくものが提案されている。
【０００４】
上記従来の容器として、例えば、図８に示す、実登第０３０００６５１号公報に記載のものが知られている。
【０００５】
図８に示す従来の粉体化粧料収納容器は、化粧料を収納する中皿５１と、中皿５１の口部５１ａに外嵌する外側固定枠５２と、この外側固定枠５２に固着され中皿５１の口部５１ａに内嵌する内側固定枠５３と、前記二つの固定枠５２，５３の各フランジ部５２ａ，５３ａの間に挟持された枠体５４ａおよびこの枠体５４ａに張設された伸縮性の網体５４ｂからなるネット体５４と、ネット体５４の上を覆うシール用フィルム５５とから構成されている。そして、このフィルム５５は、ネット体５４の網体５４ｂ、枠体５４ａ及び外側固定枠５２のフランジ部５２ａの上面に剥離可能に取り付けられており、粉体化粧料収納容器の組み立て用部品として一体となっている。
【０００６】
従って、中皿５１に化粧料を充填した後、固定枠５２，５３を中皿５１の開口部５１ａに嵌合するだけの操作でネット体５４とシール用フィルム５５を具備した粉体化粧料収納容器が完成する。従って、最終工程にフィルム５５の取り付け作業がなく、前工程の部品の段階においてフィルム５５の取り付け不良が発見されるので、フィルム５５の取り付け不良による損害が少なく済むうえに、組立作業が容易となっているものである。
【０００７】
【発明が解決しようとする課題】
ところで、上記従来の粉体化粧料収納容器にあっては、固定枠５２，５３とネット体５４とフィルム５５とを一体化して被せ蓋状にしたので、その組立が容易ではあるが、固定枠５２，５３を中皿５１に被せて打嵌するとき、容器の中が気密且つ加圧状態となり、充填されている化粧料が加圧されて中皿５１と固定枠５２，５３との間から外部に噴出することがある。このために組立作業の速度を上げることが難しいうえに、器外に付着した化粧料を拭わねばならなかった。
【０００８】
本発明は、上記問題に鑑みてなされたもので、フィルムが取り付けられた粉体化粧料収納容器を組み立てるとき、内部に充填されている化粧料が外に噴出することなく組立速度を上げることを課題としている。
【０００９】
【課題を解決するための手段】
前記課題を解決するために、本発明は、開口部にフランジを設けた収納凹所を有する弾性体の中皿と、前記中皿に外嵌し枠体に網体が張設されてなるメッシュ体と、前記メッシュ体を覆い前記メッシュ体に剥離可能に設けられたシール用フィルムとを具備してなり、前記フランジには上下に貫通する貫通孔が穿孔されており、前記メッシュ体を前記中皿に打嵌する容器の組み立て作業時において、フィルムを装着した前記メッシュ体で加圧される器内の空気は前記貫通孔から器外に排出され、組み立て終了と同時に、前記フランジに前記メッシュ体が当接して前記貫通孔が封止されることを特徴としており、内部の空気をフランジの貫通孔から排出させることで化粧料の加圧噴出を防止した。
【００１０】
また、開口部にフランジを設けた収納凹所を有する弾性体の中皿に枠体に網体が張設されてなるメッシュ体を外嵌して組み立てられた収納容器本体と、前記収納容器本体を収容する箱状のケース本体と、前記メッシュ体を覆うシール用フィルムを剥離可能に鍔部上面に設けて前記ケース本体に外嵌する栓体とを具備してなり、前記フィルムの前記鍔部の内縁に沿った前記枠体の上面に対応する箇所には上下に貫通する貫通孔が穿孔されており、前記栓体を前記ケース本体に打嵌する容器の組み立て作業時において、前記栓体で加圧される器内の空気は前記フィルムの貫通孔から器外に排出され、組み立て終了と同時に、前記フィルムの下面と前記メッシュ体の枠体上面とが当接して前記貫通孔が封止されるようにしてもよい。
【００１１】
【発明の実施の形態】
以下、本発明の好適な実施の形態を添付図面を参照しながら詳細に説明する。
【００１２】
図１乃至図３は、本発明の粉体化粧料収納容器の第一の実施の形態を示すもので、開口部にフランジ３を設けた収納凹所２を有する弾性体の中皿１と、枠体１１に網体１２が張設されてなるメッシュ体１０と、メッシュ体１０に剥離可能に設けたシール用フィルム２０とから構成されている。
【００１３】
中皿１は、底壁４の外周縁部分の傾斜壁４ａ周縁から内壁５を立ち上げて粉体化粧料を充填する収納凹所２が形成され、この収納凹所２の上端開口に外向きのフランジ３が設けられ、フランジ３の外周縁には外面に係止リブ６ａを有する外壁６が垂設されているとともに、フランジ３には適宜間隔をおいた複数個所に上下に貫通する貫通孔７が穿孔されている。
【００１４】
また、この中皿１は、パフ（図示省略）でメッシュ体１０を押圧したとき撓んでメッシュ体１０全体が沈み、メッシュ体１０の網体１２部分が粉体化粧料に接するようにエラストマーなどの弾性材料が使用されており、撓み易く且つ弾性復元するように形成されている。
【００１５】
メッシュ体１０は、断面逆Ｌ字状の枠体１１に網体１２が周縁部をフランジ部１１ｂ上面に張設されて形成されている。
【００１６】
フィルム２０は、枠体１１上面の網体１２の上から超音波シールやヒートシール、接着剤などで剥離可能に接着され、メッシュ体１０上面全体を覆って粉体化粧料を封止するとともに商品のバージン性を証明するものである。尚、符号２０ａはフィルム２０を剥がすとき用いる舌片状の摘み部である。
【００１７】
以上の部品構成からなる本実施の形態の粉体化粧料収納容器を組み立てるときは、図３に示すように、中皿１を治具２５に戴置し、収納凹所２に粉体化粧料を充填した後、フィルム２０が接着済みのメッシュ体１０を中皿１に蓋を装着するように打嵌し、中皿１を圧入することにより中皿１の係止リブ６ａを枠体１１の内面に圧接させて係止し一体化する。このとき、フィルム２０を装着したメッシュ体１０で加圧される器内の空気は中皿１の貫通孔７から器外に排出され、更に治具２５のダクト２６で排出される。従って、メッシュ体１０の打嵌作業における急激な空気の加圧による粉体化粧料の器外への噴出は防止され、高速度の組立てが可能となるとともに器外の付着化粧料の拭い作業が不要となる。
【００１８】
以上にように組み立てられた粉体化粧料収納容器は、通常の中皿と同様にコンパクト容器に装着される。これを使用するときは、摘み部２０ａを摘んでフイルム２０を引き剥がす。そして、パフを用いてメッシュ体１０を押圧することにより弾性の中皿１を撓ませ、網体１２上に粉体化粧料を浮き上がらせて使用する。
【００１９】
図４以下は、別の実施の形態を示すものである。基本的には先の実施の形態と同様であるので、図において、上記第一の実施の形態と共通する部分については同一符号を付しその説明を省略する。
【００２０】
図４に示した実施の形態における粉体化粧料収納容器のメッシュ体１０は、その網体１２が枠体１１のフランジ部１１ｂの下面に張着されているとともに、フイルム２０は枠体１１のフランジ部１１ｂ上面に剥離可能に接着され、且つフランジ部１１ｂ上面よりも低い位置にある網体１２に沿って凹没形成されている。
【００２１】
この実施の形態では、メッシュ体１０の網体１２をフランジ部１１ｂ上面よりも低く設けたことにより、パフを使用したとき、網体１２の上に浮き出た粉体化粧料がメッシュ体１０の外部にこぼれ落ちることがなく、従って周囲を汚す心配なく使用することができる。
【００２２】
また、図５及び図６は、交換容易なカートリッジとして好適な粉体化粧料収納容器の実施の形態を示すものである。この実施の形態は、図６に示すように、開口部にフランジ３を外向きに設けた収納凹所２を有する弾性体の中皿１に、枠体１１の下面に網体１２が張設されてなるメッシュ体１０を外嵌して組立られた収納容器本体１５と、これを収容する箱状のケース本体１６と、このケース本体１６に外嵌し鍔部１７ａ上面にシール用フィルム２０を剥離可能に設けた栓体１７とから構成されいる。
【００２３】
この収納容器本体１５は、既述した実施の形態における中皿１とメッシュ体１０とを組み合わせた構成とほぼ同様の構成である。
【００２４】
収納容器本体１５を収容するケース本体１６は、硬質の合成樹脂材料を用いて底板１６ａ周縁から周壁１６ｂを立設した浅い皿状に形成されており、底板１６ａの内側中央部は低い台形状に底上げされているとともに、周壁１６ｂ外周には係止突起１６ｃが突設されている。
【００２５】
栓体１７は、その周壁１７ｂの上端に内向きの鍔部１７ａが設けられて形成され、周壁１７ｂの内側には前記ケース本体１６の係止突起１６ｃと係合する溝１７ｃが周設されているとともに、鍔部１７ａの内縁部はメッシュ体１０の枠体１１外縁の段部１１ｃに係合して収納容器本体１５をケース本体１６内から抜け出し不能に、且つ上下動可能に収容している。そして、鍔部１７ａの上面にはフィルム２０が剥離可能に接着されており、このフィルム２０には鍔部１７ａの内縁に沿い且つメッシュ体１０の枠体１１上面に対応する箇所に上下に貫通する貫通孔２１が穿孔されている。
【００２６】
以上の部材で構成される本実施の形態の粉体化粧料収納容器を組立てるには、まず収納凹所２に粉体化粧料を充填した後、メッシュ体１０を嵌合して収納容器本体１５を用意する。次に、収納容器本体１５をケース本体１６に収容し、予めフィルム２０が接着されて蓋状に形成された栓体１７をケース本体１６に被せて打嵌し、ケース本体１６の係止突起１６ｃと栓体１７の溝１７ｃとを係合させて一体化する。このとき、フィルム２０が接着された栓体１７で加圧される器内の空気は枠体１１上面に位置するフイルム２０の貫通孔２１から器外に排出されながら嵌合し、フィルム２０の下面と枠体１１の上面とが当接して密封される。従って、栓体１７の打嵌作業による急激な空気の加圧は直ちに減圧され、粉体化粧料の器外への噴出は防止される。
【００２７】
また、本実施の形態の粉体化粧料収納容器は、外側が硬質のケースとなっているので、流通やコンパクト容器への装填作業において取り扱い易く、カートリッジとして好適な容器となっている。
【００２８】
図７は、網体１２を枠体１１の上面に張設したメッシュ体１０を使用した実施の形態を示している。作用および効果ともに上記実施の形態とほぼ同一であるのでその説明を省略する。
【００２９】
【発明の効果】
本発明の粉体化粧料収納容器によれば、以下の効果を奏することができる。
【００３０】
請求項１に記載の粉体化粧料収納容器によれば、開口部にフランジを設けた収納凹所を有する弾性体の中皿に、シール用フィルムを剥離可能に設けてあるメッシュ体を打嵌したとき、フランジには上下に貫通する貫通孔が穿孔してあるので、メッシュ体は圧縮される内部の空気を貫通孔から排出しながら嵌着する。従って、充填された化粧料が加圧空気によって外部に噴出することがないので組立速度を上げることができるとともに、拭い作業を無くすことができる。
【００３１】
また、請求項２に記載の粉体化粧料収納容器によれば、中皿にメッシュ体が外嵌されて組み立てられた収納容器本体を箱状のケース本体に収容し、メッシュ体を覆うシール用フィルムを鍔部上面に剥離可能に設けた栓体をケース本体に外嵌する構成としたので、カートリッジとしてコンパクト容器にセットし易くなっているとともに、フィルムの鍔部の内縁に沿った枠体の上面に対応する箇所に上下に貫通する貫通孔を穿孔したので、ケース本体に栓体を打嵌するとき、内部の空気を貫通孔から排出して、化粧料が噴出することなく組立速度を上げることができる。
【００３２】
また、いずれの実施の形態も、フィルムの接着を粉体化粧料収納容器の組立の最終工程よりも前工程でできるようにしたので、フィルムの接着不良による損害を少なくすることができるものである。
【図面の簡単な説明】
【図１】  本発明の粉体化粧料収納容器の第一の実施の形態を示す分解斜視図。
【図２】  図１の実施の形態の断面図。
【図３】  図１の実施の形態の治具による組立状態を示す拡大半断面図。
【図４】  第二の実施の形態を示す半断面図。
【図５】  第三の実施の形態を示す分解斜視図。
【図６】  図５の実施の形態の断面図。
【図７】  第四の実施の形態を示す半断面図。
【図８】  従来例を示す要部断面図。
【符号の説明】
１  中皿，２  収納凹所，３  フランジ，７  貫通孔，１０  メッシュ体，１１  枠体，１２  網体，１５  収納容器本体，１６  ケース本体，１７  栓体，１７ａ  鍔部
【図１】
0003935998.tif 000002
【図２】
0003935998.tif 000003
【図３】
0003935998.tif 000004
【図４】
0003935998.tif 000005
【図５】
0003935998.tif 000006
【図６】
0003935998.tif 000007
【図７】
0003935998.tif 000008
【図８】
0003935998.tif 000009